(57)【要約】【課題】  ロック機構のロックを自動で掛けるとともに、簡単に手動でロックを解除する。【解決手段】  筐体１０の取付面１４ａに固定される取付具１８に連結ピン２０を介して水平方向に揺動自在にロッド２２を連結し、ロッド２２先端に水平方向には揺動自在に垂直方向には移動自在にロック部材２６を連結し、ロック部材２６に嵌合ピン２８を設け、固定部材１２に嵌合ピン２８が嵌合するガイド開口部３２を有する連結具３０を固定し、ガイド開口部３２を嵌合ピン２８の水平方向の移動は規制するが垂直方向は移動可能に係止する係止部３２ａと、筐体１０が回転することによる嵌合ピン２８の水平方向の直線運動を案内する水平部３２ｂと、で構成する。【選択図】  図１
2007255105.tif 000002
【特許請求の範囲】
【請求項１】
互いに回転可能に連結された２部材間の回転を拘束したり拘束を解除したりすることが可能な回転ロック機構において、
前記一方の部材面には、取付面に対して水平方向に揺動自在に可動部材の一端を連結し、他方の部材面には、可動部材の他端が水平方向及び垂直方向に移動可能に嵌合する嵌合部を設け、該嵌合部は、可動部材の他端の水平方向の揺動は規制するが垂直方向は移動可能に係止する係止部と、一方の部材が回転することによる可動部材の揺動運動を直線運動に変換し可動部材の他端の移動を案内する水平部と、を有することを特徴とする筐体の回転ロック機構。
【請求項２】
前記可動部材は、前記一方の部材面に固定される取付具に連結ピンを介して水平方向に揺動自在に連結されたロッドと、ロッド先端に水平方向には揺動自在に垂直方向には移動自在に連結されるロック部材と、ロック部材に設けられ前記嵌合部に嵌合する嵌合ピンと、により構成されることを特徴とする請求項１記載の筐体の回転ロック機構。
【請求項３】
前記嵌合部は、前記他方の部材に取付けられた連結具に形成された開口部であり、該開口部に前記嵌合ピンが取外し不可能に嵌合されることを特徴とする請求項１又は２記載の筐体の回転ロック機構。
【発明の詳細な説明】
【技術分野】
【０００１】
本発明は、回転可能な電気及び電子筐体の回転を拘束したり拘束を解除したりすることができるロック機構に関するものであり、筐体の大きさにかかわらず、回転の拘束及び拘束の解除が安全且つスムーズにでき、しかも少スペースで確実に作動するロック機構が要求される。また、モータやエアなどの動力を持たない筐体では、機構構造だけでロック機構を達成したり、ロックの解除を手動で簡単に行うことができたりする必要がある。
【背景技術】
【０００２】
図３（ａ）及び（ｂ）に基づいて、従来の筐体の回転ロック機構を説明する。
回転可能な筐体１０と固定部材１２とが蝶番１４で連結されており、筐体１０側の蝶番１４の取付面１４ａには、これと直交する方向に突出する突出部材５０が取付けられている。突出部材５０の先端には、ロックピン５２が上方に突出しており、固定部材１２にはロックステー５４の一端が揺動自在に吊り下げられている。ロックステー５４の他端には、ロックピン５２を嵌合可能な穴５４ａが形成されており、突出部材５０、ロックピン５２及びロックステー５４によりロック機構５６が構成される。
【０００３】
従来のロック機構５６の動作について説明する。
ロック機構５６がロックされている状態は、図３（ａ）に示すように、ロックピン５２がロックステー５４の穴５４ａに嵌合され、これにより、筐体１０の回転が拘束される。
【０００４】
ロックを解除する場合、ロックステー５４を手で上方に持上げ、図３（ｂ）に示すように、穴５４ａからロックピン５２を取外すことにより行われる。これにより、筐体１０は回転可能な状態になる。
【０００５】
次に、ロックする場合、ロックステー５４を手で上方に持上げ、図３（ａ）に示すように、穴５４ａにロックピン５２を嵌合することにより行われ、これにより、筐体１０の回転が拘束される。
【０００６】
このように、従来のロック機構５６の場合、ロックするときに人の手に頼らなければならないため、万が一ロックを忘れた場合、筐体が簡単に回転してしまい、人や物が筐体にぶつかっただけでも回転してしまうことになる。このため、筐体に挟まれるという人身事故や、筐体が構造物にぶつかるという事故に繋がる可能性がある。
【発明の開示】
【発明が解決しようとする課題】
【０００７】
解決しようとする課題は、回転可能な筐体の回転を拘束する際に、自動でロック機構のロックがかからず、また、簡単に手動でロックを解除することができないという点である。
【課題を解決するための手段】
【０００８】
本発明は、筐体を回転させるだけでロック機構のロックが自動で行われることを特徴とする。
【０００９】
すなわち、請求項１記載の発明は、互いに回転可能に連結された２部材間の回転を拘束したり拘束を解除したりすることが可能な回転ロック機構において、
前記一方の部材面には、取付面に対して水平方向に揺動自在に可動部材の一端を連結し、他方の部材面には、可動部材の他端が水平方向及び垂直方向に移動可能に嵌合する嵌合部を設け、該嵌合部は、可動部材の他端の水平方向の揺動は規制するが垂直方向は移動可能に係止する係止部と、一方の部材が回転することによる可動部材の揺動運動を直線運動に変換し可動部材の他端の移動を案内する水平部と、を有することを特徴とする。
【００１０】
また、請求項２記載の発明は、請求項１記載の発明において、前記可動部材は、前記一方の部材面に固定される取付具に連結ピンを介して水平方向に揺動自在に連結されたロッドと、ロッド先端に水平方向には揺動自在に垂直方向には移動自在に連結されるロック部材と、ロック部材に設けられ前記嵌合部に嵌合する嵌合ピンと、により構成されることを特徴とする。
【００１１】
また、請求項３記載の発明は、請求項１又は２記載の発明において、前記嵌合部は、前記他方の部材に取付けられた連結具に形成された開口部であり、該開口部に前記嵌合ピンが取外し不可能に嵌合されることを特徴とする。
【発明の効果】
【００１２】
本発明によれば、筐体をロックが必要とされる角度だけ回転させると、嵌合ピンが開口部を移動して係止部に係合し、自動的にロックが掛かるため、ロック忘れを防止することができる。
また、ロックの解除は、手動でロック部材を垂直方向に移動させるだけで嵌合ピンを係止部から、嵌合ピンの水平方向の移動が自由になる水平部に移動させることができるため、ロックの解除を容易に行うことができる。
【発明を実施するための最良の形態】
【００１３】
(実施例１)
添付図面を参照して、本発明に係る筐体の回転ロック機構について説明する。
【００１４】
図１（ａ）は本発明の実施例１に係る筐体の回転ロック機構がロックされた状態を示す斜視図、図１（ｂ）は図１（ａ）のロックが解除された状態を示す斜視図、図２（ａ）は回転ロック機構がロックされた状態を示す詳細図、図２（ｂ）は回転ロック機構のロックが解除された状態を示す詳細図である。
【００１５】
回転可能な筐体１０（一方の部材）と固定部材１２（他方の部材）とが蝶番１４で連結されており、筐体１０側の蝶番１４の取付面１４ａ及び固定部材１２側の蝶番１４の取付面１４ｂに回転ロック機構１６が取付けられる。
【００１６】
図２に示すように、ロック機構１６は、取付面１４ａに取付具１８が固定され、取付具１８に連結ピン２０を介してロッド２２（可動部材）が連結される。ロッド２２は、連結ピン２０を回転中心として回転自在、すなわち水平方向に揺動自在である。ロッド２２の先端には長軸ピン２４を介してロック部材２６が連結され、ロック部材２６は、長軸ピン２４を回転中心として回転自在であるとともに、長軸ピン２４とともにロッド２２の上下方向に移動自在である。ロック部材２６には、嵌合ピン２８が設けられる。
【００１７】
取付面１４ｂには、連結具３０が固定されており、連結具３０には、嵌合ピン２８が取外し不可能に嵌合され、嵌合ピン２８の移動を案内するガイド開口部３２（嵌合部）が開口している。ガイド開口部３２は、垂直方向に開口する係止部３２ａと係止部３２ａの上端から水平方向に開口する水平部３２ｂとにより構成され、係止部３２ａは嵌合ピン２８の水平方向の移動は拘束するが垂直方向の移動を可能とする。また、係止部３２ａには、嵌合ピン２８が係合し、嵌合ピン２８が容易に上方へ移動することを規制する引っ掛り部３２ｃが形成されている。
【００１８】
水平部３２ｂは、嵌合ピン２８の水平方向の移動を可能とするものであり、ロック部材２６が長軸２４を回転中心としてロッド２２に対して回転自在であるため、ロッド２２の揺動運動によるロッド２２と水平部３２ｂとの角度変化をロック部材２６が吸収し、ロッド２２の揺動運動が、嵌合ピン２８の水平方向の直線運動に変換され、嵌合ピン２８が水平部３２ｂを移動する。
【００１９】
次に、実施例１の動作について説明する。図１（ａ）及び図２（ａ）に示すように、回転ロック機構１６がロックされているときは、嵌合ピン２６が係止部３２ａにあり、引っ掛り部３２ｃに係合しており、不意の筐体回転時でも、引っ掛り部３２ｃから外れて水平部３２ｂに移動することなく、確実にロックされている。
【００２０】
次に、ロックを解除する場合は、ロック部材２６を上方に押し上げる。すると、ロック部材２６とともに長軸ピン２４が上方に移動し、嵌合ピンと引っ掛り部３２ｃの係合が外れて、嵌合ピン２８が係止部３２ａを上昇し水平部３２ｂに移動し、ロックが解除されて、筐体１０は回転自在な状態となる。
【００２１】
次に、筐体１０を固定部材１２方向に回転させると、ロッド２２が揺動し、嵌合ピン２８が水平部３２ｂの図２中右方向へ移動していく。筐体１０が図１（ｂ）のように固定部材１２と重なった状態及び回転ロック機構１６が図２（ｂ）のように嵌合ピン２８が水平部３２ｂの右端部まで移動した状態になるまで筐体１０は回転することができる。
【００２２】
次に、図１（ａ）に示す状態に筐体１０を戻す場合、筐体１０を回転させると、ロッド２２が揺動し、嵌合ピン２８が水平部３２ｂを左方向に移動する。筐体１０がロックを必要とする角度に達すると、嵌合ピン２８が係止部３２ａの位置まで移動するため係止部３２ａを自由落下し、引っ掛り部３２ｃに係合して回転ロック機構１６がロックされ、筐体１０の回転が拘束される。
【図面の簡単な説明】
【００２３】
【図１】本発明の実施例１に係る筐体の回転ロック機構がロックされた状態（ａ）と、解除された状態（ｂ）を示す斜視図である。
【図２】回転ロック機構がロックされた状態（ａ）と、解除された状態（ｂ）を示す詳細図である。
【図３】従来の回転ロック機構がロックされた状態（ａ）と、解除された状態（ｂ）を示す斜視図である。
【符号の説明】
【００２４】
１０  筐体（一方の部材）
１２  固定部材（他方の部材）
１４ａ  取付面
１６  回転ロック機構
１８  取付具
２０  連結ピン
２２  ロッド（可動部材）
２６  ロック部材
３０  連結具
３２  ガイド開口部（嵌合部）
【図１】
2007255105.tif 000003
【図２】
2007255105.tif 000004
【図３】
2007255105.tif 000005